(57)【特許請求の範囲】
【請求項１】
少なくとも第１の、第２の、及び第３のガス注入ゾーンを通して導入されるガスによって半導体基板が処理されるにプロセスガスを供給するためのガス供給配送配置であって、
複数のプロセスガス供給入口及び複数の調整ガス入口と、
それぞれのプロセスガス供給部との流体連通を提供するように各自適応される複数のガス供給スティックを含む混合マニホールドと、
それぞれの調整ガス供給部との流体連通を提供するように各自適応される複数の調整ガススティックと、
前記第１のガス注入ゾーンへガスを配送するように適応される第１のガス出口、前記第２のガス注入ゾーンへガスを配送するように適応される第２のガス出口、及び前記第３のガス注入ゾーンへガスを配送するように適応される第３のガス出口と、
前記混合マニホールドと流体連通しているガス分離器であって、前記混合マニホールドから出る混合ガスを、前記第１のガス出口に供給できる第１の混合ガスと、前記第２のガス出口，前記第３のガス出口及び前記第２，第３の両方のガス出口が選択可能であり、そのうちのいずれか１つが選択されて供給できる第２の混合ガスとに分離する第１のバルブ配置を含むガス分離器と、
前記第１の、第２の、及び第３のガス出口が選択可能であり、そのうちの少なくとも１つに、前記調整ガススティックから調整ガスを配送する第２のバルブ配置と、
を備えるガス供給配送配置。
【請求項２】
請求項１に記載のガス供給配送配置であって、
前記第２のバルブ配置は、前記第１のガス出口、前記第２のガス出口、前記第３のガス出口、又はこれらの組み合わせと流体連通している第１の調整ガス導管へ第１の調整ガスを選択的に配送する第１のバルブセットと、前記第１のガス出口、前記第２のガス出口、前記第３のガス出口、又はこれらの組み合わせと流体連通している第２の調整ガス導管へ第２の調整ガスを選択的に配送する第２のバルブセットと、前記第１のガス出口、前記第２のガス出口、前記第３のガス出口、又はこれらの組み合わせと流体連通している第３の調整ガス導管へ第３の調整ガスを選択的に配送する第３のバルブセットと、前記第１のガス出口、前記第２のガス出口、前記第３のガス出口、又はこれらの組み合わせと流体連通している第４の調整ガス導管へ第４の調整ガスを選択的に配送する第４のバルブセットとを含む、ガス供給配送配置。
【請求項３】
請求項２に記載のガス供給配送配置であって、
前記第２のバルブセットは、前記第１の、第２の、第３の、及び第４の調整ガススティックを前記混合マニホールド及び／又はパージラインに選択的に接続するバルブを含む、ガス供給配送配置。
【請求項４】
請求項２に記載のガス供給配送配置であって、
前記第１のバルブ配置は、前記第１の混合ガスの比率を精密に制御して前記第１の混合ガスを前記第１のガス出口へ配送するための、限界オリフィスを伴う第１のバルブセットと、前記第２の混合ガスの比率を制御して前記第２の混合ガスを前記第２の及び／又は第３のガス出口へ配送するための、限界オリフィスを伴う第２のバルブセットと、前記混合ガスを前記第２の及び／又は第３のガス出口へ配送する第３のバルブセットとを含む、ガス供給配送配置。
【請求項５】
請求項１に記載のガス供給配送配置であって、
前記第１のバルブ配置は、前記第１の混合ガスを前記第１のガス出口のみへ配送し、前記第２の混合ガスを前記第２の及び／又は第３のガス出口のみへ配送する、ガス供給配送配置。
【請求項６】
請求項１に記載のガス供給配送配置を備えるプラズマ処理システムであって、
チャンバと、
前記チャンバの中の、半導体基板が上で処理される基板サポートと、
前記ガス供給配送配置の前記各ガス出口に接続されたガス注入システムと、
前記チャンバを所望の真空圧力に維持するように動作可能である真空源と、
前記チャンバ内のガスをプラズマ状態に活性化するように動作可能である電力源と、
を備え、前記ガス注入システムは、前記ガス供給配送配置から前記半導体基板の上方の少なくとも第１の、第２の、及び第３のゾーンへガスを配送する、プラズマ処理システム。
【請求項７】
請求項６に記載のプラズマ処理システムであって、
前記第１のゾーンは、前記半導体基板の中央ゾーンであり、前記第２のゾーンは、前記中央ゾーンを取り巻く中間ゾーンであり、前記第３のゾーンは、前記中間ゾーンを取り巻く縁ゾーンである、プラズマ処理システム。
【請求項８】
請求項６に記載のプラズマ処理システムであって、
前記チャンバは、前記ガス注入システムがガス分配板である誘導結合プラズマ処理チャンバである、プラズマ処理システム。
【請求項９】
請求項６に記載のプラズマ処理システムであって、
前記チャンバは、前記ガス注入システムがシャワーヘッド電極である容量結合プラズマ処理チャンバである、プラズマ処理システム。
【請求項１０】
少なくとも第１の、第２の、及び第３のガス注入ゾーンを通して導入されるガスによって半導体基板が処理されるプラズマ処理システムのチャンバにプロセスガスを供給するためのガス供給配送配置を使用する方法であって、
前記ガス供給配送配置は、複数のプロセスガス供給入口及び複数の調整ガス入口と、それぞれのプロセスガス供給部との流体連通を提供するように各自適応される複数のガス供給スティックを含む混合マニホールドと、それぞれの調整ガス供給部との流体連通を提供するように各自適応される複数の調整ガススティックと、前記第１のガス注入ゾーンへガスを配送するように適応される第１のガス出口、前記第２のガス注入ゾーンへガスを配送するように適応される第２のガス出口、及び前記第３のガス注入ゾーンへガスを配送するように適応される第３のガス出口と、前記混合マニホールドと流体連通しているガス分離器であって、前記混合マニホールドから出る混合ガスを、前記第１のガス出口に供給できる第１の混合ガスと、前記第２のガス出口，前記第３のガス出口及び前記第２，第３の両方のガス出口が選択可能であり、そのうちのいずれか１つが選択されて供給できる第２の混合ガスとに分離する第１のバルブ配置を含むガス分離器と、前記第１の、第２の、及び第３のガス出口が選択可能であり、そのうちの少なくとも１つに、前記調整ガススティックから調整ガスを配送する第２のバルブ配置とを含み、
前記方法は、
前記第１の混合ガスを前記第１のガス出口へ配送するように、並びに前記第２の混合ガスを前記第２の及び／又は第３のガス出口へ配送するように、前記第１のバルブ配置を動作させることと、
１つ以上の調整ガスを前記第１の、第２の、及び／又は第３のガス出口へ配送するように、前記第２のバルブ配置を動作させることと、
を備える方法。
【請求項１１】
請求項１０に記載の方法であって、
前記第２のバルブ配置は、前記第１のガス出口、前記第２のガス出口、前記第３のガス出口、又はこれらの組み合わせと流体連通している第１の調整ガス導管へ第１の調整ガスを選択的に配送する第１のバルブセットと、前記第１のガス出口、前記第２のガス出口、前記第３のガス出口、又はこれらの組み合わせと流体連通している第２の調整ガス導管へ第２の調整ガスを選択的に配送する第２のバルブセットと、前記第１のガス出口、前記第２のガス出口、前記第３のガス出口、又はこれらの組み合わせと流体連通している第３の調整ガス導管へ第３の調整ガスを選択的に配送する第３のバルブセットと、前記第１のガス出口、前記第２のガス出口、前記第３のガス出口、又はこれらの組み合わせと流体連通している第４の調整ガス導管へ第４の調整ガスを選択的に配送する第４のバルブセットとを含み、
前記方法は、前記ガス分離器を迂回しつつ、前記少なくとも１つの調整ガスを前記第１の、第２の、及び／又は第３のガス出口へ配送することを備える方法。
【請求項１２】
請求項１１に記載の方法であって、
前記第２のバルブセットは、前記第１の、第２の、第３の、及び第４の調整ガススティックを前記混合マニホールド及び／又はパージラインに選択的に接続するバルブを含み、
前記方法は、各調整ガスを前記パージライン又は前記混合マニホールドのいずれかへ配送することを備える方法。
【請求項１３】
請求項１１に記載の方法であって、
前記第１のバルブ配置は、前記第１の混合ガスの比率を精密に制御して前記第１の混合ガスを前記第１のガス出口へ配送するための、限界オリフィスを伴う第１のバルブセットと、前記第２の混合ガスの比率を制御して前記第２の混合ガスを前記第２の及び／又は第３のガス出口へ配送するための、限界オリフィスを伴う第２のバルブセットと、前記混合ガスを前記第２の及び／又は第３のガス出口へ配送する第３のバルブセットとを含み、
前記方法は、
前記第１のバルブセットを、前記第１の混合ガスを前記第１のガス出口へ配送するように動作させることと、
前記第２のバルブセットを、前記第２の混合ガスを前記第２の及び／又は第３のガス出口へ配送するように動作させることと、
を備える方法。
【請求項１４】
請求項１０に記載の方法であって、
前記第１の混合ガスが前記第１のガス出口のみへ配送され、前記第２の混合ガスが前記第２の及び／又は第３のガス出口のみへ配送されるように、コントローラが、前記第１のバルブ配置のバルブを動作させる、方法。
【請求項１５】
請求項１０に記載の方法であって、
前記プラズマ処理システムは、チャンバと、前記チャンバの中の、半導体基板が上で処理される基板サポートと、前記ガス供給配送配置の前記ガス出口に接続されたガス注入システムと、前記チャンバを所望の真空圧力に維持するように動作可能である真空源と、前記チャンバ内のガスをプラズマ状態に活性化するように動作可能である電力源とを含み、前記ガス注入システムは、前記ガス供給配送配置から前記半導体基板の上方の少なくとも第１の、第２の、及び第３のゾーンへガスを配送し、
前記方法は、前記第１の及び第２のバルブ配置を、プロセスガス及び調整ガスを前記第１の、第２の、及び第３のゾーンへ配送するように動作させることを備える方法。
【請求項１６】
請求項１５に記載の方法であって、
前記第１のゾーンは、前記半導体基板の中央ゾーンであり、前記第２のゾーンは、前記中央ゾーンを取り巻く中間ゾーンであり、前記第３のゾーンは、前記中間ゾーンを取り巻く縁ゾーンであり、
前記方法は、前記調整ガス及び混合ガスを前記中央ゾーン、中間ゾーン、及び縁ゾーンへ配送することを備える方法。
【請求項１７】
請求項１５に記載の方法であって、
前記チャンバは、前記ガス注入システムがガス分配板である誘導結合プラズマ処理チャンバであり、
前記方法は、アンテナを活性化させて前記チャンバ内へＲＦエネルギを結合することによって前記チャンバの中でプラズマを発生させることを備える方法。
【請求項１８】
請求項１５に記載の方法であって、
前記チャンバは、前記ガス注入システムがシャワーヘッド電極である容量結合プラズマ処理チャンバであり、
前記方法は、前記シャワーヘッド電極にＲＦエネルギを供給することによって前記チャンバの中でプラズマを発生させることを備える方法。
【請求項１９】
請求項６に記載のプラズマ処理システムにおけるウエハ処理の均一性を最適化する方法であって、
プロセスレシピにしたがって、前記複数のガス注入ゾーンのそれぞれを通してガス組成及びガス流量を供給しつつ、前記チャンバの中でテストウエハをエッチングすることであって、前記ガス組成及び／又はガス流量は、前記ガス分離器によって制御される、エッチングすることと、
前記テストウエハの表面にわたるそれぞれのゾーンのエッチング速度を決定するために、前記テストウエハの表面のエッチング均一性を測定することと、
前記プロセスレシピを修正することであって、前記ガス注入ゾーンのうちの１つ以上における前記ガス組成及び／又はガス流量が調節され、前記ガス組成及び／又はガス流量は、前記ガス分離器によって制御される、修正することと、
前記修正されたプロセスレシピにしたがって、前記１つ以上のガス注入ゾーンの前記調節されたガス組成及び／又はガス流量を供給しつつ、前記チャンバの中でテストウエハをエッチングすることと、
前記テストウエハの表面にわたるそれぞれのゾーンのエッチング速度を決定するために、前記テストウエハの表面の均一性を測定することと、
前記エッチング均一性が所望の公差内であるかどうかを決定することと、
を備える方法。
【請求項２０】
請求項１９に記載の方法であって、更に、
もし、前記決定された均一性が所望の公差内であるならば、前記１つ以上のガス注入ゾーンの前記調節されたガス組成及び／又はガス流量によって、基板一式をエッチングすることを備える方法。
【請求項２１】
請求項１９に記載の方法であって、更に、
前記ガス注入ゾーンのうちの１つ以上において前記ガス組成及び／又はガス流量を修正することであって、前記ガス組成及び／又はガス流量は、前記ガス分離器によって制御される、修正することと、
前記修正されたプロセスレシピにしたがって、前記１つ以上のガス注入ゾーンの前記調節されたガス組成及び／又はガス流量を供給しつつ、前記チャンバの中でテストウエハをエッチングすることと、
前記テストウエハの表面にわたるそれぞれのゾーンのエッチング速度を決定するために、前記テストウエハの表面のエッチング均一性を測定することと、
前記均一性が所望の公差内であるかどうかを決定することと、
を備える方法。
【請求項２２】
少なくとも第１の、第２の、及び第３のガス注入ゾーンを通して導入されるガスによって半導体基板が処理されるプラズマ処理システムのチャンバにプロセスガスを供給するための半導体基板処理装置のガス供給配送配置であって、
複数のガス源と流体連通しているガスパネルと、
対応するガス源からの、前記ガスパネルを通してのガスの供給を制御するように動作可能である、各ガス源のためのそれぞれの質量流量コントローラと、
前記ガスパネルに取り付けられたガス分離器であって、前記半導体基板処理装置のプロセスチャンバのそれぞれのガス注入ゾーンと流体連通するように構成される複数のガスゾーン供給口と流体連通しており、前記ガスパネルを通して前記ガス源のうちの対応するそれぞれから供給される１つ以上のガスを受け取るように、及び前記受け取られて前記複数のガスゾーン供給口のうちの対応するそれぞれに供給される前記１つ以上のガスの比率を制御するように動作可能であるガス分離器と、
を備え、
前記ガスパネルは、
複数のプロセスガス供給入口及び複数の調整ガス入口と、
それぞれのプロセスガス供給部との流体連通を提供するように各自適応される複数のガス供給スティックを含む混合マニホールドと、
それぞれの調整ガス供給部との流体連通を提供するように各自適応される複数の調整ガススティックと、
前記第１のガス注入ゾーンへガスを配送するように適応される第１のガス出口、前記第２のガス注入ゾーンへガスを配送するように適応される第２のガス出口、及び前記第３のガス注入ゾーンへガスを配送するように適応される第３のガス出口と、
を備え、
前記ガス分離器は、
前記混合マニホールドと流体連通しており、前記混合マニホールドから出る混合ガスを、前記第１のガス出口に供給できる第１の混合ガスと、前記第２のガス出口，前記第３のガス出口及び前記第２，第３の両方のガス出口に選択的に供給できる第２の混合ガスとに分離する第１のバルブ配置であって、前記第１の混合ガスを前記第１のガス出口のみへ配送し、前記第２の混合ガスを前記第２のガス出口，前記第３のガス出口及び前記第２，第３の両方のガス出口のうちのから選択されたガス出口のみへ配送する、第１のバルブ配置と、
前記第１の、第２の、及び第３のガス出口が選択可能であり、そのうちの少なくとも１つに、前記調整ガススティックから調整ガスを配送する第２のバルブ配置と、
を備える、ガス供給配送配置。
【請求項２３】
請求項２２に記載のガス供給配送配置であって、
前記ガス分離器は、前記複数のガスゾーン供給口のうちの対応するそれぞれに受け取られる前記ガス供給の流量を制御するように動作可能である１１のバルブを含み、各バルブは、各バルブに関係付けられたそれぞれのオリフィスをガスの供給が通るように開く又は閉じるように動作可能であり、各オリフィスは、それぞれの各オリフィスに供給される前記ガス流量を制御するために、所定の断面積を有する、ガス供給配送配置。
【請求項２４】
請求項２２に記載のガス供給配送配置であって、更に、
前記ガス分離器に供給されるガスの圧力を測定するように動作可能である１つ以上の圧力計を、前記ガス分離器の上流に備えるガス供給配送配置。
【請求項２５】
請求項２２に記載のガス供給配送配置であって、
前記複数のガス源は、プロセスガス源、不活性ガス源、調整ガス源、又はこれらの組み合わせを含む、ガス供給配送配置。
【請求項２６】
請求項２３に記載のガス供給配送配置であって、
前記バルブは、それらに関係付けられたオリフィスの上流に位置付けられる、ガス供給配送配置。
【請求項２７】
シャワーヘッド電極アセンブリを含むプラズマ処理チャンバと、請求項２２に記載のガス供給配送配置とを備える半導体基板処理装置であって、
前記複数のガスゾーン供給口は、各自、前記シャワーヘッド電極アセンブリにおけるそれぞれのガス注入ゾーンと流体連通している、半導体基板処理装置。
【請求項２８】
請求項２７に記載の半導体基板処理装置であって、更に、
（ａ）前記プラズマ処理システムによって実施されるプロセスを制御するように動作可能であるコントローラと、
（ｂ）前記プラズマ処理システムの制御のためのプログラム命令を含む、非一時的なコンピュータ機械読み取り可能媒体と、
を備える半導体基板処理装置。
【請求項２９】
請求項２７に記載の半導体基板処理装置であって、更に、
中央ガス注入ゾーンと、中間ガス注入ゾーンと、縁ガス注入ゾーンとを備える半導体基板処理装置。
【請求項３０】
請求項２７に記載の半導体基板処理装置において半導体基板を処理する方法であって、
前記複数のプロセスガス源から前記ガス分離器に１つ以上のガスを供給することと、
前記複数のガスゾーン供給口に供給されるガスの比率を、前記ガス分離器のバルブの組み合わせを開く及び／又は閉じることによって制御することと、
前記複数のガスゾーン供給口を通して前記シャワーヘッド電極アセンブリのそれぞれのガス注入ゾーンにガスを供給することと、
前記シャワーヘッド電極アセンブリの前記それぞれのガス注入ゾーンを通して半導体基板の表面の上にガスを供給することによって、前記半導体基板を処理することであって、前記それぞれのガス注入ゾーンは、前記半導体基板の表面にわたるゾーンに対応し、それぞれの各ガス注入ゾーンに供給されるガスの比率は、所望の均一性内で前記半導体基板を処理するように操作可能である、処理することと、
を備える方法。
【請求項３１】
請求項３０に記載の、半導体基板を処理する方法であって、
前記ガス分離器が前記ガスに１つ以上の調整ガスを加えることによって、前記ガスの組成を制御する方法。
【発明の詳細な説明】
【技術分野】
【０００１】
この出願は、米国特許法第１１９（ｅ）条の定めにより、２０１４年１０月１７日に出願された米国仮出願第６２／０６５，４９７号の優先権を主張する。該出願は、参照によって本明細書に全内容を組み込まれる。
【背景技術】
【０００２】
プラズマ処理チャンバと、該チャンバ内へガスを供給するガス源と、プロセスガスからプラズマを発生させるエネルギ源とを含むプラズマ処理装置において、半導体構造が処理される。半導体構造は、ドライエッチングプロセス、並びに金属材料、誘電体材料、及び半導体材料の化学気相成長（ＣＶＤ）、物理蒸着、又はプラズマ支援式化学気相成長（ＰＥＣＶＤ）などの成膜プロセス、並びにレジスト剥離プロセスなどの技術によって処理される。これらの処理技術では、様々なプロセスガスが使用され、また、様々な材料の半導体構造が処理される。
【発明の概要】
【０００３】
本明細書では、少なくとも第１の、第２の、及び第３のガス注入ゾーンを通して導入されるガスによって半導体基板が処理されるプラズマ処理システムのチャンバにプロセスガスを供給するためのガス供給配送配置が開示される。ガス供給配送配置は、複数のプロセスガス供給入口と、複数の調整ガス入口とを含む。混合マニホールドが、それぞれのプロセスガス供給部との流体連通を提供するように各自適応される複数のガス供給スティックと、それぞれの調整ガス供給部との流体連通を提供するように各自適応される複数の調整ガススティックとを含む。第１のガス出口が、第１のガス注入ゾーンへガスを配送するように適応され、第２のガス出口が、第２のガス注入ゾーンへガスを配送するように適応され、第３のガス出口が、第３のガス注入ゾーンへガスを配送するように適応される。ガス分離器が、混合マニホールドと流体連通しており、このガス分離器は、混合マニホールドから出る混合ガスを、第１のガス出口に供給できる第１の混合ガスと、第２の及び／又は第３のガス出口に供給できる第２の混合ガスとに分離する第１のバルブ配置を含む。第２のバルブ配置が、調整ガススティックから第１の、第２の、及び／又は第３のガス出口へ調整ガスを選択式に配送する。
【０００４】
また、本明細書では、少なくとも第１の、第２の、及び第３のガス注入ゾーンを通して導入されるガスによって半導体基板が処理されるプラズマ処理システムのチャンバにプロセスガスを供給するためのガス供給配送配置を使用する方法も開示される。ガス供給配送配置は、複数のプロセスガス供給入口及び複数の調整ガス入口と、それぞれのプロセスガス供給部との流体連通を提供するように各自適応される複数のガス供給スティックを含む混合マニホールドと、それぞれの調整ガス供給部との流体連通を提供するように各自適応される複数の調整ガススティックと、第１のガス注入ゾーンへガスを配送するように適応される第１のガス出口、第２のガス注入ゾーンへガスを配送するように適応される第２のガス出口、及び第３のガス注入ゾーンへガスを配送するように適応される第３のガス出口と、混合マニホールドと流体連通しているガス分離器であって、混合マニホールドから出る混合ガスを、第１のガス出口に供給できる第１の混合ガスと、第２の及び／又は第３のガス出口に供給できる第２の混合ガスとに分離する第１のバルブ配置を含むガス分離器と、調整ガススティックから第１の、第２の、及び／又は第３のガス出口へ調整ガスを選択式に配送する第２のバルブ配置とを含む。方法は、第１の混合ガスを第１のガス出口へ配送するように、並びに第２の混合ガスを第２の及び／又は第３のガス出口へ配送するように、第１のバルブ配置を動作させることと、１つ以上の調整ガスを第１の、第２の、及び／又は第３のガス出口へ配送するように、第２のバルブ配置を動作させることとを含む。
【０００５】
本明細書では、更に、複数のガス源と流体連通しているガスパネルと、対応するガス源からの、ガスパネルを通してのガスの供給を制御するように動作可能である、各ガス源のためのそれぞれの質量流量コントローラと、ガスパネルに取り付けられたガス分離器であって、半導体基板処理装置のプロセスチャンバのそれぞれのガス注入ゾーンと流体連通するように構成される複数のガスゾーン供給口と流体連通しており、ガスパネルを通してガス源のうちの対応するそれぞれから供給される１つ以上のガスを受け取るように、及び受け取られて複数のガスゾーン供給口のうちの対応するそれぞれに供給される１つ以上のガスの比率を制御するように動作可能であるガス分離器とを含む、半導体基板処理装置のガス供給配送配置が開示される。
【図面の簡単な説明】
【０００６】
【図１】ガス供給配送配置の好ましい実施形態が使用できる半導体基板処理装置の代表的な一実施形態を示した断面図である。
【０００７】
【図２】マルチゾーンガスフロー分割器を含むガス供給配送配置のガスパネルの一部分を示した等角図である。
【０００８】
【図３】混合マニホールドとガス分割器とを含むガス供給配送配置を示した配線図である。
【０００９】
【図４】制御されて調整されたプロセスガスを中央注入ゾーン、中間注入ゾーン、及び縁注入ゾーンを通して受け取る半導体基板を示した説明図である。
【００１０】
【図５】ウエハを均一に処理するためにガス組成及びガス流量を決定する方法を示したフローチャートである。
【発明を実施するための形態】
【００１１】
例えばシリコンウエハなどの半導体基板の上に形成された半導体素子などの半導体材料を処理するためのプラズマ処理装置などの半導体基板処理装置は、プラズマ処理チャンバ又は真空チャンバと、プラズマ処理チャンバ内へプロセスガスを供給するガス供給配送配置とを含むことができる。ガス供給配送配置は、半導体基板の表面にわたる複数の領域（又はゾーン）への複数のガスフロー供給口を通して、プラズマ処理時に半導体基板の表面にわたるそれぞれのゾーンへガスを分配することができる。ガス供給配送配置は、フローコンポーネントを含むことができ、該コントローラは、同一のプロセスガス若しくは異なるプロセスガスの又は同一のガス混合物若しくは異なるガス混合物の、ゾーンへのフロー比率を制御し、それによって、基板にわたるガス流量及びガス組成の均一性の並びにそれゆえに基板処理の均一性の、プロセス内又はプロセス間の調節を可能にする。
【００１２】
マルチゾーンガス供給配送配置は、シングルゾーンのシステムと比べて向上したフロー制御を提供できるが、このようなマルチゾーンシステムには、中央領域、中間領域、又は縁領域が挙げられる半径方向領域などのそれぞれの各ゾーンに対応する半導体基板の領域におけるエッチング速度又は成膜速度を制御するために、それぞれの各ゾーン内におけるガス組成の調整及び／又はガス流量の微細制御が可能であるような、半導体基板処理動作を可能にする配置を提供することが、望ましいだろう。
【００１３】
真空チャンバ又はプロセスチャンバに様々なガス組成及び／又はガス流量を供給するためのマルチゾーン分配システムが提供される。好ましい一実施形態では、ガス供給配送配置は、プラズマ処理装置のプラズマ処理チャンバなどの真空チャンバの内部と流体連通するように、並びに処理動作時に真空チャンバのそれぞれのゾーンに異なるガス化学物質及び／又はガス流量を供給する機能を提供するように適応される。例えば、プロセスガスは、誘導結合プラズマチャンバのガス分配板の複数ゾーン、シャワーヘッド電極アセンブリのシャワーヘッド電極、マルチゾーンガス注入器、側部ガス注入器、ガスリング、又は後述のように半導体基板の上面にわたるそれぞれのゾーン若しくは領域へガスを配送するその他の適切な配置を通して供給できる。
【００１４】
プラズマ処理装置は、プラズマを発生させるためにＲＦエネルギ、マイクロ波エネルギ、磁場などを使用するエネルギ源を含む、低密度、中密度、又は高密度プラズマリアクタであることができる。例えば、高密度プラズマは、誘導結合プラズマチャンバとしても知られる変換器結合プラズマ（ＴＣＰ（登録商標））リアクタ、電子サイクロトロン共鳴（ＥＣＲ）プラズマリアクタ、容量型放電リアクタ、容量結合プラズマ処理チャンバなどの中で発生させることができる。ガス供給配送配置の実施形態が使用できる代表的なプラズマリアクタとして、カリフォルニア州フリーモント所在のラム・リサーチ・コーポレーションから入手可能である２３００  Ｅｘｅｌａｎ（登録商標）プラズマリアクタなどのＥｘｅｌａｎ（登録商標）プラズマリアクタが挙げられる。一実施形態では、本明細書で開示されるようなプラズマ処理システムは、ガス注入システムがガス分配板である誘導結合プラズマ処理チャンバであるチャンバを含むことができ、或いは、チャンバは、ガス注入システムがシャワーヘッド電極であってよい容量結合プラズマ処理チャンバである。プラズマエッチングプロセス時には、電極を組み入れた基板サポート、及び静電チャックに、複数の周波数が印加できる。或いは、二重周波数プラズマリアクタでは、基板サポートと、プラズマ生成領域を形成するために半導体基板から間隔をあけたシャワーヘッド電極などの電極とに、異なる周波数が印加できる。
【００１５】
好ましくは、ガス供給配送配置は、プラズマ処理時に半導体基板の表面にわたるそれぞれのゾーンにガスを分配するために、制御可能で且つ調整可能なガス配送をプラズマ処理チャンバの複数の注入ゾーンに提供できる。本明細書で使用されるガス又はガス混合物という用語は、１つ以上のプロセスガス、１つ以上の不活性ガス、１つ以上の調整ガス、又はこれらの組み合わせを指していてよい。例えば、シャワーヘッド電極アセンブリの中央ゾーン、該中央ゾーンを取り巻く中間ゾーン、及び該中間ゾーンを取り巻く縁ゾーンなどの、第１の、第２の、及び第３のゾーンへのマルチゾーンガス供給口は、それぞれのゾーンへのガス配送のガス組成及び／又はガス流量が制御及び調整されるときに、プラズマ処理時にプラズマ処理チャンバの中でエッチングされている半導体基板の中央、中間、及び縁のエッチング速度の均一性を向上できる。
【００１６】
本明細書で開示されるようなガス供給配送配置は、１つ以上のそれぞれのガス供給部と流体連通している１つ以上の質量流量コントローラ（ＭＦＣ）、１つ以上の圧力変換器及び／又は調節器、ヒータ、１つ以上のフィルタ又は清浄器、並びに遮断バルブなどの、一連のガス分配・制御コンポーネントを含むことができる。所定のガス供給配送配置の中で使用されるコンポーネントは、ガス供給配送配置の設計及び意図する用途に応じて異なることができる。半導体処理配置の一実施形態では、１７を超えるガスが、ガス供給ライン、ガス分配コンポーネント、及び混合マニホールドを通じて処理チャンバに接続されてよい。これらのコンポーネントは、ベース板に取り付けられて、「ガスパネル」又は「ガスボックス」として知られる完成システムを形成する。
【００１７】
「ガススティック」は、混合マニホールドの通路を通して他のガス制御コンポーネントに接続されてその上にガス制御コンポーネントが取り付け可能である複数の一体型表面取り付けコンポーネント（例えば、バルブやフィルタ等）を含む。ガススティックの各コンポーネントは、マニホールドブロックの上方に配置されるのが一般的である。複数のマニホールドブロックが、モジュール基板を形成する、即ち、ガススティックを通るガスの流路を形成するマニホールドブロック層を形成する。特徴サイズが縮小するにつれて、処理されている基板上におけるエッチング速度の均一性を向上するためにガス配送システムを改善することが望まれている。
【００１８】
本明細書で開示されるのは、正確な量のプロセスガス及び調整ガスを分離して分配するためのマルチゾーンガスフロー分離器を含むガス供給配送配置（即ち、マルチゾーンガス配送システム）であり、これは、ガスパネルに組み込まれて、処理チャンバの複数のゾーンへのガスの組成調整及び／又は流量制御を行ってよい。
【００１９】
ガス混合物は、ガス分離器を含むガス供給配送配置が、半導体基板の表面にわたるそのそれぞれのゾーンにおける処理速度を制御するために、各ゾーンに供給されるガスの割合を変化させることによって、分離及びそれによって制御されてよい。これらのゾーンにおけるガス組成は、半導体基板の表面における処理速度をそれぞれのゾーンで制御するために、マルチゾーンガスフロー分離器によって、調整されてよい。したがって、複数のゾーンを通したガス配送は、半導体基板の上面を形成している各材料層のための特定の処理要件のニーズを満たすために、ガス分離器を含むマルチゾーンガス配送システムによって達成可能である複数の構成間で制御及び調整されてよい。
【００２０】
マルチゾーンガス配送システムは、マルチゾーンガス供給口を含み、各ガス供給口は、処理チャンバの中の複数のそれぞれの注入ゾーンへガスを配送してよい。マルチゾーンガス配送システムは、オリフィス（開口部）をベースにしたガス分離器と、各ゾーンへの厳密で且つ正確なガス配送分布を提供するように動作可能である幾つかの調整ガス配送スティックとを含む。分離は、それぞれの直径公差に基づく個別化された出力フローでガスを通らせて供給するように各自動作可能である多岐にわたるアクティブオリフィスを制御するガス分離器のバルブが、特定のプロセスレジーム比率に合わせて配置されたときに、発生する。１つ以上のアクティブオリフィスを通して形成された所望の比率ごとに、一定の量のガスフローが、プロセスチャンバの中の複数の注入ゾーンの各注入ゾーンに分配される。また、各調整ガススティックは、供給ラインとの混合のために、或いは例えば半導体基板処理装置のプロセスチャンバの中のシャワーヘッド電極の各注入ゾーンの注入地点への個別配送のために、プロセスガスラインに接続する機能を有する。ガス分離器を含むガス供給配送配置の設計は、プロセスチャンバの中の複数の注入ゾーンへのガスフローの独立調節などの変更を許容可能である。
【００２１】
複数のガス供給口は、ガス分離器を含むガスパネルの延長である。複数のガス供給口は、プラズマ処理チャンバの中の複数の注入ゾーンへガス混合物を分配する又は複数のガス種を個別に供給でき、ガス分離器は、注入ゾーンへの複数のガス供給口のそれぞれへガスを配送してよい（即ち、ガス分離器は、１つのガス供給入力を受けて、それを、複数のそれぞれのガス供給口などの複数のラインに分離してよい）。複数のガス供給口は、例えば、処理されている基板の表面にわたる対応する中央ゾーン、中間ゾーン、及び縁ゾーンのエッチング速度の均一性を向上させる。ガス混合物は、ガス分離器が各ゾーンのための供給割合を変化させるときに、及びそれぞれのゾーンのうちの１つ以上に供給されているガスの組成を変化させるときに、分離及び制御される。プロセスチャンバの中の異なるそれぞれのゾーンにガスを供給するためにガス分離器内で開かれる又は閉じられる様々な組み合わせのバルブによって、それぞれのガス注入ゾーンへのガス配送ラインを各自形成している複数のガス配送口へ所望の比率の混合ガスが配送される。ガス配送ラインは、この機能のために、ガスボックス（即ち、ガスパネル）から処理チャンバへ振り向けられる。
【００２２】
上述された設計は、マルチゾーンガス配送システムの複数の構成が特定の処理要件のニーズを満たすことを可能にする。例えば、多段階エッチングプロセスでは、所定のエッチングプロセスのために、処理チャンバの個々の注入ゾーンへのガスとして異なる流量及び組成が、半導体基板の層ごとに要求される。半導体基板の層は、シリコンウエハなどのベース材料と、例えばベース材料の上でエッチングされる若しくはベース材料の上に成膜される処理対象である中間材料層と、中間層を覆うマスク層とを含んでいてよい。中間層としては、導電性材料、誘電体材料、及び半導体材料が挙げられる。マスク層は、例えば中間層の中に穴、ビア、及び／又は溝などの所望の特徴をエッチングするための開口パターンを有するパターン形成レジスト材料であることができる。例えば、多段階エッチングプロセス時に処理される様々な層を含む多層積層体（半導体基板）が、参照によって本明細書に全体を組み込まれる同一出願人による米国特許第８，６６８，８３５号で開示されている。
【００２３】
処理できる代表的な誘電体材料は、例えば、フッ素化酸化シリコンなどのドープされた酸化シリコン、二酸化シリコンなどの非ドープの酸化シリコン、スピンオンガラス、ケイ酸塩ガラス、ドープされた又は非ドープの熱酸化シリコン、及びドープされた又は非ドープのＴＥＯＳ成膜酸化シリコンである。誘電体材料は、選択されたｋ値を有する低ｋ材料であることができる。このような誘電体材料は、多結晶シリコン、アルミニウム、銅、チタン、タングステン、モリブデン、及びこれらの合金などの金属、窒化チタンなどの窒化物、並びにケイ化チタン、ケイ化タングステン、及びケイ化モリブデンなどの金属ケイ化物などの、導電性又は半導体の層を覆うことができる。
【００２４】
半導体基板の層を形成している上記の各材料のエッチングは、最適なエッチング結果を実現するために、基板の場所ごとに異なるエッチングガス化学物質及びガス化学物質の調節を必要とする。ガス供給配送配置のガス分離器の中に含まれるバルブ及びオリフィスは、それぞれの各ゾーンに対し、０〜１００％及び１００〜０％のマルチフロー制御機能と、９０〜１０％及び１０〜９０％の約１０％以下の段階的増分とを提供する。更に、マルチゾーンガスフロー分離器のいずれかのオリフィスが塞がったかどうかを判定するための診断ツールとして、圧力ツールが使用されてよい。また、各ゾーンへの調整ガスの調節は、各ゾーンにおけるエッチング結果を微調整するために、僅か０．１ｓｃｃｍもの微量で実現できる。
【００２５】
マルチゾーンガスフロー分離器は、プロセスチャンバのそれぞれの注入ゾーンを通る流量を精密に制御するように動作可能である。多くのプラズマエッチングプロセスでは、半導体基板の中央におけるエッチング速度が、中間ゾーンにおけるエッチング速度及び／又は縁ゾーンにおけるエッチング速度よりも高い。したがって、ガス組成及びガス流量を微調整することによって、中央のエッチング速度が中間ゾーンのエッチング速度及び縁ゾーンのエッチング速度と均一になるように低減されてよい。例えば、中央ゾーンにおけるエッチング結果を微調整するために、０．１〜１ｓｃｃｍの増分でプロセスガス及び／または調整ガスを中央ゾーンに追加して、更に均一なエッチング結果を実現できる。
【００２６】
オリフィスをベースにしたガス分離器、及び幾つかの調整ガス配送スティックは、例えば、或る注入ゾーンへ配送されるプロセスガス／調整ガスを、その他の注入ゾーンへは高めの流量で混合プロセスガスを供給しつつ、約０．１〜１ｓｃｃｍの流量で増加又は減少させることを可能にするために、厳密で且つ正確なガス配送分布を各ゾーンに提供する。ガス分離器は、バルブを含み、これらのバルブは、固定サイズのオリフィスを通して所望の比率の混合ガスを配送するために開閉され、ここでは、ガス配送システムのガス出口を通して所望の比率の混合ガスを配送するために、選択されるオリフィスの組み合わせによって、オリフィスを通るガス流量が制御される。そのオリフィスのサイズ及び場所は、オリフィスを通して配送されるガスのガス流量を制御する限界特性（クリティカルフィーチャー）として制御される。マルチゾーンガスフロー分離器は、特定のプロセスレジームに合わせて配置され、それぞれの各ゾーンへのガスの流量を制御するために所定のバルブ組み合わせをアクティブにするように動作可能であるコントローラによって制御される。更に、各ゾーンにおけるガスの化学物質（即ち、組成）を局所的に変更するために、調整ガススティックが使用できる。
【００２７】
ガス供給配送配置のガスパネルは、ガス供給部分と流体連通しており、該ガス供給部分は、ＭＦＣ及びガス分離器バルブを含むフロー制御コンポーネントの動作を制御して、ガスパネルを通してガス供給部分によってガス分離器に及び続いて複数のガス供給口に供給できる２つ以上のガスの組成の制御を可能にするために、コントローラに接続される。複数のガス供給口は、プロセスチャンバのそれぞれのガス注入ゾーンへガスを配送する。一実施形態では、ガス供給部分は、１７の個別のガス源などの複数のガス源を含み、プロセスガス及び調整ガスが、ガス分離器と流体連通しており、調整ガスが、ガス注入ゾーンへの直接注入のためにガス分離器を迂回するように配置されている。このようにして、ガス供給部分は、ガス分離器、及びそれぞれのガス注入ゾーンと流体連通している複数のそれぞれのガス供給口を通して、所望される多くの異なるガス混合物をプロセスチャンバの注入ゾーンに供給できる。
【００２８】
ガス供給配送配置内に含まれるガス源の数は、いかなる特定の数のガス源にも限定されず、ただし、少なくとも２つの異なるガス源を含むことが好ましい。例えば、ガス供給部分は、１７のガス源のように、８を超える又は８を下回る数のガス源を含むことができ、各ガス源は、ガスパネル及びそれぞれのＭＦＣを通してガス分離器と流体連通している。それぞれのガス源によって提供できる様々なガスとして、Ｏ2、Ａｒ、Ｈ2、Ｃｌ2、Ｎ2などの個別のガスはもちろん、ＣＦ4、ＣＨ3Ｆなどのガス状のフッ化炭素化合物及び／又はフッ化炭化水素化合物などが挙げられる。一実施形態では、プロセスチャンバは、プラズマ処理エッチングチャンバであり、ガス源は、Ａｒ、Ｏ2、Ｎ2、Ｃｌ2、ＣＨ3、ＣＦ4、Ｃ4Ｆ8、及びＣＨ3Ｆ又はＣＨＦ3を（任意の適切な順序で）供給できる。それぞれのガス源によって供給される特定のガスは、処理対象とされる半導体基板の上面上の特定の材料組成によって決定される例えば特定のドライエッチングプロセス及び／又は材料成長プロセスなどの、プラズマ処理チャンバの中で実施されることになる所望のプロセスに基づいて選択できる。ガス供給部分は、エッチングプロセスの実施のために提供できるガスの選択肢に関して広い多様性を提供できる。
【００２９】
ガス供給部分は、また、ガス組成を調節するために、少なくとも１つの調整ガス源を含む。調整ガスは、例えば、Ｏ2、又はアルゴンなどの不活性ガス、又はＣ4Ｆ8を例とするフッ化炭素ガス若しくはフッ化炭化水素ガスなどの反応性ガスであることができる。この実施形態では、ガス供給部分は、４つの調整ガス源を含むことができ、各調整ガス源は、ガス分離器へ配送されているガスの組成をそのガスがそのガス分離器に到達する前に調節するために、調整ガスを供給できる、又はガス分離器は、複数のそれぞれのガス供給ラインを通してそれぞれのガス注入ゾーンのいずれかへ配送されているガス混合物の組成を調節するために、その中で調整ガスとプロセスガスとを組み合わせてよい。或いは、ガス供給配送配置は、処理チャンバの中のそれぞれのガス注入ゾーンと各自流体連通している複数のガス供給口のうちの対応する１つに調整ガスを直接供給するように動作可能である。
【００３０】
ガス分離器７００のオリフィスの上流における圧力は、バルブｖ５４０を通じてガス分離器７００と流体連通している圧力計ＤＧＦ−２などの５００トール圧力計から精密に測定及び収集されることが好ましい。この設計は、処理されている半導体基板の上面にわたるそれぞれのゾーンに対応するチャンバ内の複数のガス注入ゾーンへのガスフローの独立調節などの、特定の処理要件に合わせたマルチゾーンガス配送システムの変更を許容可能である。更に、ガス分離器は、バルブｖ６０５を通じて出力ＡＦＶを含むことができ、この場合、一実施形態では、出力ＡＦＶは、ガスフロー分離器７００を迂回するために又はガスフロー分離器７００を通して更なるガスフロー出力を提供するために使用できる。
【００３１】
ガス供給配送配置のガスパネルのガス分離器による多数のバルブ組み合わせ候補は、オリフィスを通る多くの調整可能で且つ制御可能なガスフローを可能にする。例えば、図２は、分離を実施するために使用される１１の２状態バルブ７０２を含むマルチゾーンガスフロー分離器７００を含むガス供給配送配置１００のガスパネル７０１の一部分の等角図を示している。異なるバルブ組み合わせの最大数は、２11＝４０９６であり、ただし、これらの状態の一部（例えば、全てのバルブが閉じられている状態、又は様々なゾーンへの分離が多すぎる若しくは少なすぎる状態）は、無効であるかもしれない。実際は、１，０００近くの組み合わせが有用である。これらの組み合わせのうちの部分集合を効率的に選択し、複数のそれぞれのガスゾーン供給口を通してプロセスチャンバの各注入ゾーンに供給されるガスの比率を制御するために、アルゴリズム法が使用される。アルゴリズム法は、空間的に互いに極めて接近しているそれぞれの各ガス注入ゾーンのためのバルブの組み合わせである出力を生成するバルブの組み合わせを選択してよい、或いはアルゴリズムは、個々のオリフィスの直径公差に基づいて、ガスの出力フローの全体的な不確実性を最小限に抑えるバルブ組み合わせを選択してよい。
【００３２】
図１は、ガス供給配送配置１００の実施形態が使用できる代表的な半導体材料プラズマ処理装置１０を示している。装置１０は、プラズマ処理時に半導体基板１６が上で支持される基板サポート１４を内包した内部を有する真空チャンバ又はプラズマ処理チャンバ１２を含む。基板サポート１４は、処理時に半導体基板１６を基板サポート１４の上に把持するように動作可能である把持機器を、好ましくは静電チャック１８を含む。半導体基板は、参照によって本明細書に全体を組み込まれる同一出願人による米国特許第６，９８４，２８８号で開示されるパーツなどの、フォーカスリング及び／若しくはエッジリング、接地延長部、又はその他のパーツによって取り囲むことができる。
【００３３】
好ましい一実施形態では、プラズマ処理チャンバ１２は、２００ｍｍ又は３００ｍｍのウエハを処理するための、約１／２リットルから約４リットル、好ましくは約１リットルから約３リットルの体積を有するプラズマ閉じ込めゾーンを含む。或いは、プラズマ閉じ込めゾーンは、４５０ｍｍのウエハを処理するための、約４リットル以上の体積を有することができる。プラズマ処理チャンバ１２は、参照によって本明細書に全体を組み込まれる同一出願人による米国特許第８，８２６，８５５号で開示されるように、プラズマ閉じ込めゾーンを画定するために閉じ込めリング配置を含むことができる。閉じ込め機構は、プラズマ体積からプラズマ処理チャンバ１２の内部でプラズマ体積よりも外側の部分への流体連通を制限できる。好ましくは、ガス供給配送配置は、プラズマ閉じ込めゾーン内のこのようなガス体積を、大きな逆拡散を伴うことなく約１ｓ未満、好ましくは約２００ｍｓ未満の期間内に別のガスで置き換えることができ、この場合、ガス分布は、参照によって本明細書に全体を組み込まれる同一出願人による米国特許第８，７７２，１７１号で説明されるようなガス切り替え配置を含んでいてよい。
【００３４】
図１に示したプラズマ処理装置１０は、プラズマチャンバの壁を形成しているサポート板２０と、該サポート板に取り付けられ複数のガス注入ゾーンを含むシャワーヘッド２２とを有するシャワーヘッド電極アセンブリなどの、ガス分布システムを含む。プロセスガスをシャワーヘッド２２の複数の注入ゾーンのプラズマ露出表面２８に均一に分布させるために、バッフルアセンブリが、シャワーヘッド２２とサポート板２０との間に配置される。バッフルアセンブリは、１枚以上のバッフル板を含むことができる。この実施形態では、バッフルアセンブリは、バッフル板３０Ａ、３０Ｂ、及び３０Ｃを含む。バッフル板３０Ａ、３０Ｂ、及び３０Ｃの間、並びにバッフル板３０Ｃとシャワーヘッド２２との間には、気体が充満する空間であるプレナム４８Ａ、４８Ｂ、及び４８Ｃが画定される。バッフル板３０Ａ、３０Ｂ、及び３０Ｃ、並びにシャワーヘッド２２は、プロセスガスをプラズマ処理チャンバ１２の内部に流すための通路を含む。
【００３５】
この実施形態では、板２０とバッフル板３０Ａとの間のプレナム、並びにバッフル板３０Ａ、３０Ｂ、及び３０Ｃの間のプレナム４８Ａ、４８Ｂ、及び４８Ｃは、中央ゾーン７２と、該中央ゾーン７２を取り巻く中間ゾーン４２と、該中間ゾーン４２を取り巻く縁ゾーン４６とに、Ｏリングなどのシール３８Ａ、３８Ｂ，３８Ｃ，３８Ｄ、３８Ｅ、３８Ｆ、３８Ｇ、及び３８Ｈによって分割される。中央ゾーン７２、中間ゾーン４２、及び縁ゾーン４６には、好ましくは複数のガス源及びそのそれぞれのＭＦＣを制御するコントローラ５００の制御下にある本明細書で説明されるようなガス供給配送配置１００、並びにガス分離器によって、異なるそれぞれのガス化学物質及び／又はガス流量を有するプロセスガスが供給できる。例えば、中央ゾーンガス供給口４０から中央ゾーン７２内へガスが供給され、中間ゾーンガス供給口７０から中間ゾーン４２内へガスが供給され、縁ゾーンガス供給口４４から環状流路４４ａ内へ及び次いで縁ゾーン４６内へガスが供給される。プロセスガスは、バッフル板３０Ａ、３０Ｂ、及び３０Ｃ内の通路、並びにシャワーヘッド２２のそれぞれの注入ゾーンを通り、プラズマ処理チャンバ１２の内部に入り、半導体基板１６の上面にわたるそれぞれのゾーンの上へ流れる。プロセスガスは、電極２２を駆動するＲＦ源などの電力源、又は基板サポート１４の中の電極を駆動する電力源によって、プラズマ状態に活性化される。電極２２に供給されるＲＦ電力は、プラズマ処理チャンバ１２内へ様々なガス組成が供給されるときに、好ましくは約１ｓ未満、更に好ましくは約２００ｍｓ未満の期間内に変更できる。一実施形態では、中央ゾーン７２、中間ゾーン４２、及び縁ゾーン４６に、ガス供給配送配置１００によって様々なガス化学物質及び／又はガス流量を有するプロセスガスが供給できる。
【００３６】
その他の好ましい実施形態では、プラズマ処理装置１０は、プロセスガスをプラズマ処理チャンバ内へ注入するための調整可能マルチゾーンガス注入器システムを含むことができる。例えば、調整可能マルチゾーンガス注入器システムは、参照によって本明細書に全体を組み込まれる共同所有の米国特許出願公開第２０１０／００４１２３８号で開示されるような構成を有することができる。例えば、２つのゾーン中央注入器が、プラズマ処理チャンバの外側ゾーンにプロセスガスを供給する側壁注入器とともに使用され、この場合は、異なるそれぞれのゾーンに、ガス供給配送配置１００（参照によって本明細書に開示内容の全体を組み込まれる同一出願人による米国特許出願第２０１１／００５６６２６号を参照）によって、異なるそれぞれのガス化学物質及び／又はガス流量を有するプロセスガスが供給できる。ガス供給配送配置１００は、互いに流体連通しているガス供給部分と、フロー制御部分と、随意としてのガス切り替え部分とを含むことができる。プラズマ処理装置１０は、プロセスガス及び反応副生成物をチャンバ１２から排除するように動作可能である真空源８８を含む。
【００３７】
図３は、少なくとも第１の、第２の、及び第３のガス注入ゾーンを通して導入されるガスによって半導体基板が処理されるプラズマ処理システムのチャンバにプロセスガスを供給するための、本明細書で開示されるようなガス供給配送配置１００の概要を示している。ガス供給配送配置１００は、複数のガス供給入口と、複数の調整ガス入口とを含む。混合マニホールド７１０が、それぞれのプロセスガス供給部との流体連通を提供するように各自適応される複数のガス供給スティック２００と、それぞれの調整ガス供給部との流体連通を提供するように各自適応されそれぞれのバルブ３００ａ又はｖ１７２、ｖ１６２を通して混合マニホールド７１０とも流体連通できる複数の調整ガススティックとを含む。第１のガス出口Ｃ１が、第１のガス注入ゾーンへガスを配送するように適応され、第２のガス出口Ｃ２が、第２のガス注入ゾーンへガスを配送するように適応され、第３のガス出口Ｅ１が、第３のガス注入ゾーンへガスを配送するように適応される。ガス分離器７００が、混合マニホールド７１０と流体連通している。ガス分離器７００は、混合マニホールド７１０から出る混合ガスを、第１のガス出口Ｃ１に供給できる第１の混合ガスと、第２の及び／又は第３のガス出口Ｃ２、Ｅ１に供給できる第２の混合ガスとに分離する第１のバルブ配置を含む。一実施形態では、混合マニホールド７１０は、バルブ５４０ａを通じて圧力計ＤＧＦ−２と流体連通できる。
【００３８】
第２のバルブ配置７２０が、調整ガススティック３００から第１の、第２の、及び／又は第３のガス出口Ｃ１、Ｃ２、Ｅ１へ調整ガスを選択式に配送するように動作可能である。第２のバルブ配置は、第１のガス出口Ｃ１、第２のガス出口Ｃ２、第３のガス出口Ｅ１、又はこれらの組み合わせと流体連通している第１の調整ガス導管へ第１の調整ガスを選択的に配送する第１のバルブセットと、第１のガス出口Ｃ１、第２のガス出口Ｃ２、第３のガス出口Ｅ１、又はこれらの組み合わせと流体連通している第２の調整ガス導管へ第２の調整ガスを選択的に配送する第２のバルブセットと、第１のガス出口Ｃ１、第２のガス出口Ｃ２、第３のガス出口Ｅ１、又はこれらの組み合わせと流体連通している第３の調整ガス導管へ第３の調整ガスを選択的に配送する第３のバルブセットと、第１のガス出口Ｃ１、第２のガス出口Ｃ２、第３のガス出口Ｅ１、又はこれらの組み合わせと流体連通している第４の調整ガス導管へ第４の調整ガスを選択的に配送する第４のバルブセットとを含む。上述された実施形態では、代替のバルブ構成が、図３に示すように第１のガス出口Ｃ１、第２のガス出口Ｃ２、第３のガス出口Ｅ１、又はそれらの組み合わせへ第１の、第２の、第３の、及び／又は第４の調整ガスを配送するように動作可能である。更に、第２のバルブセットは、第１の、第２の、第３の、及び第４の調整ガススティック３００を混合マニホールド７１０及び／又はパージラインＶＡＣに選択的に接続するバルブを含む。一実施形態では、第２のバルブ配置７２０は、ｖ１６２、ｖ５２５、ｖ８〜ｖ９、ｖ８〜ｖ９ａ、ｖ１７２、ｖ５２６、ｖ５２７、ｖ５２７ｃ、ｖ５２５ｃ、ｖ５２６ｃ、ｖ５２７ｂ、ｖ５２７ａ、ｖ５２６ａ、ｖ５２５ｂ、ｖ５２５ａ、ｖ１７３ｂ、ｖ１７３ａ、ｖ５２６ｃ、ｖ５２６ｂ、ｖ５２７ａ、ｖ５２５ａ、ｖ５２５ｃ、及びｖ１７３を含むことができ、ただし、これらに限定はされない。第２のバルブ配置７２０のバルブ間のガスラインは、圧力センサＰＳ４ｃ、ＰＳ４ｂ、ＰＳ４ａ、ＰＳ４、及びＰＳ３などを含むがこれらに限定はされない圧力センサも、ともに含むことができる。
【００３９】
図３は、更に、ガス分離器７００が、第１の、第２の、及び第３のそれぞれのガス出口Ｃ１、Ｃ２、及びＥ１に供給できる様々なガスの流量を制御するように、また、随意としてそれらのガスの組成も調節するように動作可能であることを示している。ガス分離器７００は、それぞれのバルブ２００ａ、Ｖ３、又はｖ４を通して供給される様々な流量及び／又は化学物質のガスをガス源２００から提供でき、該ガス源２００は、実施されることになる処理動作に応じて、プロセスガス、不活性ガス、調整ガス、又はそれらの組み合わせであることができる。プロセスガスは、各ガス源２００から各バルブ２００ａを経て、更にはガスライン、及び図３において総じて標識「ｖ」を含むものとして示されている関連のバルブを経て、ガス分離器７００に供給できる。混合マニホールド７１０は、一実施形態では、バルブｖ１８７、ｖ１８８、ｖ１８９のうちの１つ以上を通じてガス分離器７００に供給できる。
【００４０】
ガス分離器７００の第１のバルブ配置は、第１の混合ガスの比率を精密に制御して第１の混合ガスを第１のガス出口Ｃ１へ配送するための、限界オリフィスを伴う第１のバルブセット７３０ａと、第２の混合ガスの比率を制御して第２の混合ガスを第２の及び／又は第３のガス出口Ｃ２、Ｅ１へ配送するための、限界オリフィスを伴う第２のバルブセット７３０ｂと、混合ガスを第２の及び／又は第３のガス出口Ｃ２、Ｅ１へ配送する第３のバルブセット７３０ｃとを含むことができる。一実施形態では、第１のバルブ配置は、第１の混合ガスを第１のガス出口Ｃ１のみへ配送し、第２の混合ガスを第２の及び／又は第３のガス出口Ｃ２、Ｅ１のみへ配送する。一実施形態では、第１のバルブセット７３０ａは、バルブ５３１ａ、５３２ａ、５３３ａ、５３４ａ、及び５３５ａを含むことができ、第２のバルブセット７３０ｂは、バルブ５３１、５３２、５３３、５３４、５３５、及び５３６を含むこともできる。一実施形態では、第３のバルブセット７３０ｃは、少なくともバルブ５２１、５２２、ｖ５１２、及びｖ５１１を含むことができる。
【００４１】
また、プラズマ処理チャンバ１２（図１を参照）に供給されるガスの流量及び／又は化学物質は、中央ゾーン７２、中間ゾーン４２、及び縁ゾーン４６で異なることができる。したがって、ガス分離器７００は、所望のガスフロー及び／又はガス化学物質を半導体基板１６における各領域に提供し、それによって、半導体基板処理の均一性を高めることができる。一実施形態では、ガス注入ゾーンを通して真空チャンバに供給されるガスは、切り替えられて良く、この場合、マルチゾーンガスフロー分離器７００は、次のプロセス動作工程のためのガスなどの、現時点では使用されていないガスを、ターボポンプと粗引きポンプとの間などの真空ポンプシステムと流体連通できるパージ（即ち、迂回）ラインＶＡＣなどの迂回ラインへ分岐させるように動作可能であることができる。パージラインＶＡＣは、バルブｃｖ１を通じてプロセスガス供給部及び／又は調整ガス供給部のうちの１つ以上と流体連通できる。
【００４２】
図３に示すような実施形態では、プロセスガスは、プロセスガス源２００のうちの１つ以上から、例えば１１のバルブ５３１、５３２、５３３、５３４、５３５、５３６、５３１ａ、５３２ａ、５３３ａ、５３４ａ、及び５３５ａを含むガス分離器７００に供給できる。ここでは、或る比率の供給ガスが、複数のガスゾーン供給口のうちの対応する１つに及び次いでそれと流体連通しているプロセスチャンバの中の対応するガス注入ゾーンに供給されえるように、その比率の供給ガスを、開位置にあるバルブのオリフィスを通してそれぞれの出力ラインＥ１、Ｃ１、Ｃ２、ＡＦＶ，及び／又はＶＡＣに供給するために、上記のバルブの組み合わせが、オン位置又はオフ位置に調節されてよい。バルブ５３１〜５３５ａは、様々なガス混合物がそれぞれの出力ラインへ流れることを可能にするために、好ましくはコントローラ５００の制御下で選択的に開かれる又は閉じられることが可能であり、ここでは、対応する各バルブに関係付けられた固有のオリフィス寸法が、プロセスチャンバの中のそれぞれの各ガス注入ゾーンへの流量の比率が微調整されることを可能にする。例えば、ガス源２００のうちの１つ以上に関係付けられた１つ以上のバルブ５３１〜５３５ａを、（その他のガス源２００に関係付けられた１つ以上の残りのバルブ５３１〜５３５ａが閉じられた状態で）開くことによって、第１のガス混合物がプロセスチャンバの第１のガス注入ゾーンに供給されること、第２のガス混合物がプロセスチャンバの第２のガス注入ゾーンに供給されること、及び第３のガス混合物がプロセスチャンバの第３のガス注入ゾーンに供給されることが可能にされ、このとき、第１の、第２の、及び第３のガス混合物は、同じ又は異なる流量で流すことができ、ガス混合物の組成は、同じであってよい、或いはガス混合物間の組成は、処理されるウエハの表面における対応するゾーンのエッチング速度を制御するために調整できる。したがって、出力ラインＥ１、Ｃ１、Ｃ２、ＡＦＶ、及びＶＡＣ（即ち、迂回／パージライン）に、並びにそれによってプロセスチャンバの中の複数のガスゾーン供給口及びガス注入ゾーンのうちの対応する供給口及びゾーンに、様々なガス混合物及びガス質量流量が提供できる。一実施形態では、プロセスガスは、バルブｖ９、ＰＲ８、及びｖ８を含むがこれらに限定はされないバルブを通してガス分離器３００を迂回できる。
【００４３】
図３に示した実施形態では、１１のバルブ５３１〜５３５ａは、それに関係付けられたそれぞれのオリフィスを各自含み、各オリフィスは、例えば直径などの相対的な制限サイズを有することができる。したがって、１つ以上のオリフィスを通るガスフローが発生するときに、ガス供給配送配置１００の出力へ配送されるガスの伝導性の合計は、それぞれのバルブ５３１〜５３５ａに関係付けられた所定の組み合わせのオリフィスを使用して制御できる。それぞれのゾーンに異なる比率のガスフローを提供し、半導体基板の表面にわたる各ゾーンのエッチング速度などのプロセスチャンバの中の基板の処理速度を制御するために、１つのガス注入ゾーンに向けられたオリフィスの伝導度の合計を、異なるガス注入ゾーンに向けられたオリフィスの伝導度と異なる比率にするように、任意の数のオリフィスを開かせることができる。更に、半導体基板の表面にわたる各ゾーンのエッチング速度などのプロセスチャンバの中の基板の処理速度を制御するために、特定のオリフィスを開かせて、ガス混合物に調整ガスを供給し、各ゾーンに到達するガスの組成を微調整してよい。
【００４４】
別の一実施形態は、１１を超える数のバルブなどの、異なる数のオリフィス及び関連のバルブを含むことができる。バルブ５３１〜５３５ａは、オリフィスへのガスの流れを制御するために、それぞれの各オリフィスの上流に位置付けられることが好ましく、ただし、代替の一実施形態では、バルブ５３１〜５３５ａは、オリフィスの下流に配置されてよい。好ましい一実施形態では、バルブ５３１〜５３６が、中間ゾーン及び／又は縁ゾーンへ配送されるガスの比率を制御する専用であるのに対し、バルブ５３１ａ〜５３５ａは、バルブｖ５１１ａを通じて中央ゾーンへ配送されるガスの比率を制御する専用である。
【００４５】
それぞれのバルブ５３１〜５３５ａに関係付けられたオリフィスは、プラズマ処理チャンバ１２内へ流されるガスをガス供給配送配置１００が例えば第１のガス混合物から第２のガス混合物に及びその逆に変更するときに、ガスにおける圧力急上昇及び流動不安定性を防ぐように動作可能である。
【００４６】
図４は、制御されて調整されたプロセスガスを中央注入ゾーン７２、中間注入ゾーン４２、及び縁注入ゾーン４６を通して受け取る半導体基板１６の説明図を示している。例えば、図４に示すように、半導体基板１６は、中央注入ゾーン７２に供給されている第１の及び第２の調整ガスと、中間注入ゾーン４２に供給されているプロセスガス及び第３の調整ガス４２と、縁注入ゾーン４６に供給されている第４の調整ガス及びプロセスガスとを含んでいてよい。基板は、中央ゾーン７２、中間ゾーン４２、及び縁ゾーン４６のそれぞれのゾーンに供給されるガス組成はもちろんガス流量も制御することによって、均一にエッチングされてよい。
【００４７】
図５は、図１に又は図４の説明図に示すような処理チャンバの中でエッチングプロセス又は成膜プロセスの最中にガス分離器によって制御されるマルチゾーンガス注入を使用してウエハ（即ち、半導体基板）を均一に処理するためにガス組成及びガス流量を決定する方法のフローチャートを示している。先ず、工程８００では、エッチングプロセスなどによって、テストウエハが処理され、ここでは、プロセスレシピにしたがって、複数のガス注入ゾーンのそれぞれにガス組成及びガス流量が供給され、該ガス組成及び／又はガス流量は、ガス分離器７００によって制御される。工程８０１では、テストウエハを測定し、テストウエハの上面のエッチング均一性を決定し、それによってテストウエハの表面にわたるそれぞれのゾーンのエッチング速度を決定する。次いで、工程８０２では、後続のテストウエハのゾーン間にわたるエッチング均一性を向上させるために、コントローラソフトウェア、又はプロセスエンジニアの入力を使用して、１つ以上のガス注入ゾーンへのガス組成及び／又はガス流量が調節される。工程８０３では、１つ以上のガス注入ゾーンへのガス組成及び／又はガス流量が修正され、修正されたエッチングレシピによって、次のテストウエハがエッチングされる。ついで、ウエハの上面の均一性が測定され、エッチングされたテストウエハの表面にわたるそれぞれのゾーンのエッチング速度を決定する（工程８０４）。もし、工程８０４で測定されたテストウエハの上面の均一性が、所望の公差内であるならば、修正されたレシピにしたがって、ウエハ一式が処理されてよい。もし、工程８０４で測定されたテストウエハの均一性が、所望の公差内でないならば、テストウエハが所望の公差内で処理されるようになるまで、工程８０２〜８０４が繰り返されてよい。このようにして、複数の注入ゾーンを通るプロセスのガス組成及び／又はガス流量が、均一なウエハ処理のために最適化されてよい。
【００４８】
図５のフローチャートに示した最適化プロセスは、ルックアップテーブルを作成するために使用できる。ルックアップテーブルは、そこに格納されたデータにしたがってユーザが所定のエッチングプロセスを調節又は修正しえるように、コントローラ５００の一部としての適切なメモリに格納できる。或いは、システムソフトウェアの中に、既存のルックアップテーブルを含めることができ、この場合、コントローラ５００ソフトウェアは、ルックアップテーブルに含まれるデータに基づいてプロセスレシピを修正できる。最適化プロセス中、コントローラ５００は、所定の処理装置内における処理条件の変化に対応するために、格納されたルックアップテーブルを新しく生成されたデータによってアップデートしてもよい。コントローラ５００内のソフトウェアは、所定のプロセスレシピに対し、ルックアップテーブルに基づいて最適なガス比率及び／又は流量を決定するように構成できる。
【００４９】
本明細書で開示される、プラズマ処理装置１０及び関連のガス供給配送配置１００は、半導体ウエハ又は基板の処理の前、最中、及び後にそれらの動作を制御するための電子機器と一体化されてよい。電子機器は、「コントローラ」と称してよく、これは、１つ又は複数のシステムの様々なコンポーネント又は副部品を制御してよい。例えば、図１に示すように、プラズマ処理装置１０及び／又はガス供給配送配置１００は、関連のコントローラ５００を含む。コントローラ５００は、処理要件、及び／又はプラズマ処理装置１０のタイプに応じ、処理ガスの配送、温度の設定（例えば、加熱及び／又は冷却）、圧力の設定、真空の設定、電力の設定、高周波数（ＲＦ）発生器の設定、ＲＦ整合回路の設定、周波数の設定、流量の設定、流体配送の設定、位置及び動作の設定、ツールへの、及び特定のシステムに接続された若しくはインターフェース接続されたその他の移送ツール及び／若しくはロードロックに対してウエハを出入りさせるウエハ移送などの、本明細書で開示される任意のプロセスを制御するようにプログラムされてよい。
【００５０】
概して、コントローラは、命令を受信する、命令を発行する、動作を制御する、洗浄動作を可能にする、終点測定を可能にするなどを行う様々な集積回路、ロジック、メモリ、及び／又はソフトウェアを有する電子機器として定義されてよい。集積回路は、プログラム命令を記憶するファームウェアの形態をとるチップ、デジタル信号プロセッサ（ＤＳＰ）、特殊用途向け集積回路（ＡＳＩＣ）として定められたチップ、及び／又はプログラム命令（例えば、ソフトウェア）を実行する１つ以上のマイクロプロセッサ若しくはマイクロコントローラを含んでいてよい。プログラム命令は、様々な個別設定（又はプログラムファイル）の形でコントローラに伝えられて半導体ウエハに対して若しくは半導体ウエハのために又はシステムに対して特定のプロセスを実行に移すための動作パラメータを定義する命令であってよい。動作パラメータは、一部の実施形態では、１枚以上の層、材料、金属、酸化物、シリコン、二酸化シリコン、表面、回路、及び／又はウエハダイの製作における１つ以上の処理工程を実現するためにプロセスエンジニアによって定義されるレシピの一部であってよい。
【００５１】
コントローラ５００は、一部の実装形態では、システムと一体化された、システムに接続された、それ以外の形でシステムにネットワーク接続された、若しくはこれらの組み合わせである、コンピュータの一部であってよい、又はそのようなコンピュータに接続されてよい。例えば、コントローラは、「クラウド」の中、即ちファブホストコンピュータシステムの全体若しくは一部の中にあってよく、これは、ウエハ処理の遠隔アクセスを可能にできる。コンピュータは、製造動作の現進行状況を監視するために、又は過去の製造動作の履歴を調査するために、又は複数の製造動作から傾向若しくは性能基準を調査するために、又は現処理のパラメータを変更するために、又は処理工程を設定して現処理を追跡するために、又は新しいプロセスを開始させるために、システムへの遠隔アクセスを可能にしてよい。一部の例では、遠隔コンピュータ（例えば、サーバ）が、ネットワークを通じてシステムにプロセスレシピを提供することができ、ネットワークは、ローカルネットワーク又はインターネットを含んでいてよい。遠隔コンピュータは、パラメータ及び／若しくは設定の入力又はプログラミングを可能にするユーザインターフェースを含んでいてよく、これらのパラメータ及び／又は設定は、次いで、遠隔コンピュータからシステムに伝えられる。一部の例では、コントローラは、１つ以上の動作中に実施される各処理工程のためのパラメータを指定するデータの形式で命令を受信する。なお、パラメータは、実施されるプロセスのタイプに、及びコントローラがインターフェース接続されるように又は制御するように構成されたツールのタイプに特有であってよいことが、理解されるべきである。したがって、上述のように、コントローラ５００は、ネットワークによって結ばれて本明細書で説明されるプロセス及び制御などの共通の目的に向かって作業する１つ以上の個別のコントローラを含むなどによって、分散されてよい。このような目的のための分散コントローラの一例として、（プラットフォームレベル（即ち、プラズマ処理装置１０）で又は遠隔コンピュータの一部として）遠隔設置されてチャンバにおけるプロセスを協同で制御する１つ以上の集積回路とやり取りするチャンバ上の１つ以上の集積回路が挙げられる。
【００５２】
代表的なプラズマ処理装置１０として、制限なく、プラズマエッチングチャンバ若しくはプラズマエッチングモジュール、堆積チャンバ若しくは堆積モジュール、スピンリンスチャンバ若しくはスピンリンスモジュール、金属めっきチャンバ若しくは金属めっきモジュール、洗浄チャンバ若しくは洗浄モジュール、ベベルエッジエッチングチャンバ若しくはベベルエッジエッチングモジュール、物理蒸着（ＰＶＤ）チャンバ若しくはＰＶＤモジュール、化学気相成長（ＣＶＤ）チャンバ若しくはＣＶＤモジュール、原子層堆積（ＡＬＤ）チャンバ若しくはＡＬＤモジュール、原子層エッチング（ＡＬＥ）チャンバ若しくはＡＬＥモジュール、イオン注入チャンバ若しくはイオン注入モジュール、追跡チャンバ若しくは追跡モジュール、並びに半導体ウエハの製作及び／若しくは製造に関係付けられた若しくは使用されるその他の任意の半導体処理装置又は半導体処理システムが挙げられる。
【００５３】
上記のように、プラズマ処理装置１０によって実施される１つ以上のプロセス工程に応じ、そのコントローラ５００は、その他のツール回路若しくはツールモジュール、その他のツールコンポーネント、クラスタツール、その他のツールインターフェース、隣接するツール、近隣のツール、工場の随所にあるツール、メインコンピュータ、別のコントローラ、又は半導体製造工場におけるツール場所及び／若しくは装填ポートに対してウエハ入り容器を出し入れする材料輸送に使用されるツールのうちの、１つ以上とやり取りしえる。好ましくは、非一時的なコンピュータ機械読み取り可能媒体が、プラズマ処理装置１０の制御のためのプログラム命令を含む。
【００５４】
本明細書で開示される、少なくとも第１の、第２の、及び第３のガス注入ゾーンを通して導入されるガスによって半導体基板が処理されるプラズマ処理システムのチャンバにプロセスガスを供給するためのガス供給配送配置を使用する方法において、ガス供給配送配置は、複数のプロセスガス供給入口及び複数の調整ガス入口と、それぞれのプロセスガス供給部との流体連通を提供するように各自適応される複数のガス供給スティックを含む混合マニホールドと、それぞれの調整ガス供給部との流体連通を提供するように各自適応される複数の調整ガススティックと、第１のガス注入ゾーンへガスを配送するように適応される第１のガス出口、第２のガス注入ゾーンへガスを配送するように適応される第２のガス出口、及び第３のガス注入ゾーンへガスを配送するように適応される第３のガス出口と、混合マニホールドと流体連通しているガス分離器であって、混合マニホールドから出る混合ガスを、第１のガス出口に供給できる第１の混合ガスと、第２の及び／又は第３のガス出口に供給できる第２の混合ガスとに分離する第１のバルブ配置を含むガス分離器と、調整ガススティックから第１の、第２の、及び／又は第３のガス出口へ調整ガスを選択式に配送する第２のバルブ配置とを含む。方法は、第１の混合ガスを第１のガス出口へ配送するように、並びに第２の混合ガスを第２の及び／又は第３のガス出口へ配送するように、第１のバルブ配置を動作させることと、１つ以上の調整ガスを第１の、第２の、及び／又は第３のガス出口へ配送するように、第２のバルブ配置を動作させることとを含む。
【００５５】
本発明は、好ましい実施形態を参照にして説明されてきた。しかしながら、当業者にならば、本発明が、その趣旨から逸脱することなく、上述された以外の具体的形態で具現化可能であることが、容易に明らかである。好ましい実施形態は、例示的なものであり、いかなる意味でも限定的であると見なすべきでない。本発明の範囲は、上記の説明ではなく、添付の特許請求の範囲によって与えられ、これらの特許請求の範囲内に入るヴァリエーション及び均等物は、全て、特許請求の範囲に含まれることを意図している。実際、本発明は、以下の適用としても実施可能である。
［適用例１］少なくとも第１の、第２の、及び第３のガス注入ゾーンを通して導入されるガスによって半導体基板が処理されるプラズマ処理システムのチャンバにプロセスガスを供給するためのガス供給配送配置であって、
複数のプロセスガス供給入口及び複数の調整ガス入口と、
それぞれのプロセスガス供給部との流体連通を提供するように各自適応される複数のガス供給スティックを含む混合マニホールドと、
それぞれの調整ガス供給部との流体連通を提供するように各自適応される複数の調整ガススティックと、
前記第１のガス注入ゾーンへガスを配送するように適応される第１のガス出口、前記第２のガス注入ゾーンへガスを配送するように適応される第２のガス出口、及び前記第３のガス注入ゾーンへガスを配送するように適応される第３のガス出口と、
前記混合マニホールドと流体連通しているガス分離器であって、前記混合マニホールドから出る混合ガスを、前記第１のガス出口に供給できる第１の混合ガスと、前記第２の及び／又は第３のガス出口に供給できる第２の混合ガスとに分離する第１のバルブ配置を含むガス分離器と、
前記調整ガススティックから前記第１の、第２の、及び／又は第３のガス出口へ調整ガスを選択式に配送する第２のバルブ配置と、
を備えるガス供給配送配置。
［適用例２］適用例１に記載のガス供給配送配置であって、
前記第２のバルブ配置は、前記第１のガス出口、前記第２のガス出口、前記第３のガス出口、又はこれらの組み合わせと流体連通している第１の調整ガス導管へ第１の調整ガスを選択的に配送する第１のバルブセットと、前記第１のガス出口、前記第２のガス出口、前記第３のガス出口、又はこれらの組み合わせと流体連通している第２の調整ガス導管へ第２の調整ガスを選択的に配送する第２のバルブセットと、前記第１のガス出口、前記第２のガス出口、前記第３のガス出口、又はこれらの組み合わせと流体連通している第３の調整ガス導管へ第３の調整ガスを選択的に配送する第３のバルブセットと、前記第１のガス出口、前記第２のガス出口、前記第３のガス出口、又はこれらの組み合わせと流体連通している第４の調整ガス導管へ第４の調整ガスを選択的に配送する第４のバルブセットとを含む、ガス供給配送配置。
［適用例３］適用例２に記載のガス供給配送配置であって、
前記第２のバルブセットは、前記第１の、第２の、第３の、及び第４の調整ガススティックを前記混合マニホールド及び／又はパージラインに選択的に接続するバルブを含む、ガス供給配送配置。
［適用例４］適用例２に記載のガス供給配送配置であって、
前記第１のバルブ配置は、前記第１の混合ガスの比率を精密に制御して前記第１の混合ガスを前記第１のガス出口へ配送するための、限界オリフィスを伴う第１のバルブセットと、前記第２の混合ガスの比率を制御して前記第２の混合ガスを前記第２の及び／又は第３のガス出口へ配送するための、限界オリフィスを伴う第２のバルブセットと、前記混合ガスを前記第２の及び／又は第３のガス出口へ配送する第３のバルブセットとを含む、ガス供給配送配置。
［適用例５］適用例１に記載のガス供給配送配置であって、
前記第１のバルブ配置は、前記第１の混合ガスを前記第１のガス出口のみへ配送し、前記第２の混合ガスを前記第２の及び／又は第３のガス出口のみへ配送する、ガス供給配送配置。
［適用例６］適用例１に記載のガス供給配送配置を備えるプラズマ処理システムであって、
チャンバと、
前記チャンバの中の、半導体基板が上で処理される基板サポートと、
前記ガス供給配送システムの前記ガス出口に接続されたガス注入システムと、
前記チャンバを所望の真空圧力に維持するように動作可能である真空源と、
前記チャンバ内のガスをプラズマ状態に活性化するように動作可能である電力源と、
を備え、前記ガス注入システムは、前記ガス供給配送配置から前記半導体基板の上方の少なくとも第１の、第２の、及び第３のゾーンへガスを配送する、プラズマ処理システム。
［適用例７］適用例６に記載のプラズマ処理システムであって、
前記第１のゾーンは、前記半導体基板の中央ゾーンであり、前記第２のゾーンは、前記中央ゾーンを取り巻く中間ゾーンであり、前記第３のゾーンは、前記中間ゾーンを取り巻く縁ゾーンである、プラズマ処理システム。
［適用例８］適用例６に記載のプラズマ処理システムであって、
前記チャンバは、前記ガス注入システムがガス分配板である誘導結合プラズマ処理チャンバである、プラズマ処理システム。
［適用例９］適用例６に記載のプラズマ処理システムであって、
前記チャンバは、前記ガス注入システムがシャワーヘッド電極である容量結合プラズマ処理チャンバである、プラズマ処理システム。
［適用例１０］少なくとも第１の、第２の、及び第３のガス注入ゾーンを通して導入されるガスによって半導体基板が処理されるプラズマ処理システムのチャンバにプロセスガスを供給するためのガス供給配送配置を使用する方法であって、前記ガス供給配送配置は、複数のプロセスガス供給入口及び複数の調整ガス入口と、それぞれのプロセスガス供給部との流体連通を提供するように各自適応される複数のガス供給スティックを含む混合マニホールドと、それぞれの調整ガス供給部との流体連通を提供するように各自適応される複数の調整ガススティックと、前記第１のガス注入ゾーンへガスを配送するように適応される第１のガス出口、前記第２のガス注入ゾーンへガスを配送するように適応される第２のガス出口、及び前記第３のガス注入ゾーンへガスを配送するように適応される第３のガス出口と、前記混合マニホールドと流体連通しているガス分離器であって、前記混合マニホールドから出る混合ガスを、前記第１のガス出口に供給できる第１の混合ガスと、前記第２の及び／又は第３のガス出口に供給できる第２の混合ガスとに分離する第１のバルブ配置を含むガス分離器と、前記調整ガススティックから前記第１の、第２の、及び／又は第３のガス出口へ調整ガスを選択式に配送する第２のバルブ配置とを含み、
前記方法は、
前記第１の混合ガスを前記第１のガス出口へ配送するように、並びに前記第２の混合ガスを前記第２の及び／又は第３のガス出口へ配送するように、前記第１のバルブ配置を動作させることと、
１つ以上の調整ガスを前記第１の、第２の、及び／又は第３のガス出口へ配送するように、前記第２のバルブ配置を動作させることと、
を備える方法。
［適用例１１］適用例１０に記載の方法であって、
前記第２のバルブ配置は、前記第１のガス出口、前記第２のガス出口、前記第３のガス出口、又はこれらの組み合わせと流体連通している第１の調整ガス導管へ第１の調整ガスを選択的に配送する第１のバルブセットと、前記第１のガス出口、前記第２のガス出口、前記第３のガス出口、又はこれらの組み合わせと流体連通している第２の調整ガス導管へ第２の調整ガスを選択的に配送する第２のバルブセットと、前記第１のガス出口、前記第２のガス出口、前記第３のガス出口、又はこれらの組み合わせと流体連通している第３の調整ガス導管へ第３の調整ガスを選択的に配送する第３のバルブセットと、前記第１のガス出口、前記第２のガス出口、前記第３のガス出口、又はこれらの組み合わせと流体連通している第４の調整ガス導管へ第４の調整ガスを選択的に配送する第４のバルブセットとを含み、
前記方法は、前記ガス分離器を迂回しつつ、前記少なくとも１つの調整ガスを前記第１の、第２の、及び／又は第３のガス出口へ配送することを備える方法。
［適用例１２］適用例１１に記載の方法であって、
前記第２のバルブセットは、前記第１の、第２の、第３の、及び第４の調整ガススティックを前記混合マニホールド及び／又はパージラインに選択的に接続するバルブを含み、
前記方法は、各調整ガスを前記パージライン又は前記混合マニホールドのいずれかへ配送することを備える方法。
［適用例１３］適用例１１に記載の方法であって、
前記第１のバルブ配置は、前記第１の混合ガスの比率を精密に制御して前記第１の混合ガスを前記第１のガス出口へ配送するための、限界オリフィスを伴う第１のバルブセットと、前記第２の混合ガスの比率を制御して前記第２の混合ガスを前記第２の及び／又は第３のガス出口へ配送するための、限界オリフィスを伴う第２のバルブセットと、前記混合ガスを前記第２の及び／又は第３のガス出口へ配送する第３のバルブセットとを含み、
前記方法は、
前記第１のバルブセットを、前記第１の混合ガスを前記第１のガス出口へ配送するように動作させることと、
前記第２のバルブセットを、前記第２の混合ガスを前記第２の及び／又は第３のガス出口へ配送するように動作させることと、
を備える方法。
［適用例１４］適用例１０に記載の方法であって、
前記第１の混合ガスが前記第１のガス出口のみへ配送され、前記第２の混合ガスが前記第２の及び／又は第３のガス出口のみへ配送されるように、コントローラが、前記第１のバルブ配置のバルブを動作させる、方法。
［適用例１５］適用例１０に記載の方法であって、
前記プラズマ処理システムは、チャンバと、前記チャンバの中の、半導体基板が上で処理される基板サポートと、前記ガス供給配送システムの前記ガス出口に接続されたガス注入システムと、前記チャンバを所望の真空圧力に維持するように動作可能である真空源と、前記チャンバ内のガスをプラズマ状態に活性化するように動作可能である電力源とを含み、前記ガス注入システムは、前記ガス供給配送配置から前記半導体基板の上方の少なくとも第１の、第２の、及び第３のゾーンへガスを配送し、
前記方法は、前記第１の及び第２のバルブ配置を、プロセスガス及び調整ガスを前記第１の、第２の、及び第３のゾーンへ配送するように動作させることを備える方法。
［適用例１６］適用例１５に記載の方法であって、
前記第１のゾーンは、前記半導体基板の中央ゾーンであり、前記第２のゾーンは、前記中央ゾーンを取り巻く中間ゾーンであり、前記第３のゾーンは、前記中間ゾーンを取り巻く縁ゾーンであり、
前記方法は、前記調整ガス及び混合ガスを前記中央ゾーン、中間ゾーン、及び縁ゾーンへ配送することを備える方法。
［適用例１７］適用例１５に記載の方法であって、
前記チャンバは、前記ガス注入システムがガス分配板である誘導結合プラズマ処理チャンバであり、
前記方法は、アンテナを活性化させて前記チャンバ内へＲＦエネルギを結合することによって前記チャンバの中でプラズマを発生させることを備える方法。
［適用例１８］適用例１５に記載の方法であって、
前記チャンバは、前記ガス注入システムがシャワーヘッド電極である容量結合プラズマ処理チャンバであり、
前記方法は、前記シャワーヘッド電極にＲＦエネルギを供給することによって前記チャンバの中でプラズマを発生させることを備える方法。
［適用例１９］適用例６に記載の半導体基板処理装置におけるウエハ処理の均一性を最適化する方法であって、
プロセスレシピにしたがって、前記複数のガス注入ゾーンのそれぞれを通してガス組成及びガス流量を供給しつつ、前記半導体基板処理装置の中でテストウエハをエッチングすることであって、前記ガス組成及び／又はガス流量は、前記ガス分離器によって制御される、エッチングすることと、
前記テストウエハの表面にわたるそれぞれのゾーンのエッチング速度を決定するために、前記テストウエハの表面のエッチング均一性を測定することと、
前記プロセスレシピを修正することであって、前記ガス注入ゾーンのうちの１つ以上における前記ガス組成及び／又はガス流量が調節され、前記ガス組成及び／又はガス流量は、前記ガス分離器によって制御される、修正することと、
前記修正されたプロセスレシピにしたがって、前記１つ以上のガス注入ゾーンの前記調節されたガス組成及び／又はガス流量を供給しつつ、前記半導体基板処理装置の中でテストウエハをエッチングすることと、
前記テストウエハの表面にわたるそれぞれのゾーンのエッチング速度を決定するために、前記テストウエハの表面の均一性を測定することと、
前記エッチング均一性が所望の公差内であるかどうかを決定することと、
を備える方法。
［適用例２０］適用例１９に記載の方法であって、更に、
もし、前記決定された均一性が所望の公差内であるならば、前記１つ以上のガス注入ゾーンの前記調節されたガス組成及び／又はガス流量によって、基板一式をエッチングすることを備える方法。
［適用例２１］適用例１９に記載の方法であって、更に、
前記ガス注入ゾーンのうちの１つ以上において前記ガス組成及び／又はガス流量を修正することであって、前記ガス組成及び／又はガス流量は、前記ガス分離器によって制御される、修正することと、
前記修正されたプロセスレシピにしたがって、前記１つ以上のガス注入ゾーンの前記調節されたガス組成及び／又はガス流量を供給しつつ、前記半導体基板処理装置の中でテストウエハをエッチングすることと、
前記テストウエハの表面にわたるそれぞれのゾーンのエッチング速度を決定するために、前記テストウエハの表面のエッチング均一性を測定することと、
前記均一性が所望の公差内であるかどうかを決定することと、
を備える方法。
［適用例２２］半導体基板処理装置のガス供給配送配置であって、
複数のガス源と流体連通しているガスパネルと、
対応するガス源からの、前記ガスパネルを通してのガスの供給を制御するように動作可能である、各ガス源のためのそれぞれの質量流量コントローラと、
前記ガスパネルに取り付けられたガス分離器であって、前記半導体基板処理装置のプロセスチャンバのそれぞれのガス注入ゾーンと流体連通するように構成される複数のガスゾーン供給口と流体連通しており、前記ガスパネルを通して前記ガス源のうちの対応するそれぞれから供給される１つ以上のガスを受け取るように、及び前記受け取られて前記複数のガスゾーン供給口のうちの対応するそれぞれに供給される前記１つ以上のガスの比率を制御するように動作可能であるガス分離器と、
を備えるガス供給配送配置。
［適用例２３］適用例２２に記載のガス供給配送配置であって、
前記ガス分離器は、前記複数のガスゾーン供給口のうちの対応するそれぞれに受け取られる前記ガス供給の流量を制御するように動作可能である１１のバルブを含み、各バルブは、各バルブに関係付けられたそれぞれのオリフィスをガスの供給が通るように開く又は閉じるように動作可能であり、各オリフィスは、それぞれの各オリフィスに供給される前記ガス流量を制御するために、所定の断面積を有する、ガス供給配送配置。
［適用例２４］適用例２２に記載のガス供給配送配置であって、更に、
前記ガス分離器に供給されるガスの圧力を測定するように動作可能である１つ以上の圧力計を、前記ガス分離器の上流に備えるガス供給配送配置。
［適用例２５］適用例２２に記載のガス供給配送配置であって、
前記複数のガス源は、プロセスガス源、不活性ガス源、調整ガス源、又はこれらの組み合わせを含む、ガス供給配送配置。
［適用例２６］適用例２３に記載のガス供給配送配置であって、
前記バルブは、それらに関係付けられたオリフィスの上流に位置付けられる、ガス供給配送配置。
［適用例２７］シャワーヘッド電極アセンブリを含むプラズマ処理チャンバと、適用例２２に記載のガス分配システムとを備える半導体基板処理装置であって、
前記複数のガスゾーン供給口は、各自、前記シャワーヘッド電極アセンブリにおけるそれぞれのガス注入ゾーンと流体連通している、半導体基板処理装置。
［適用例２８］適用例２７に記載の半導体基板処理装置であって、更に、
（ａ）前記プラズマ処理装置によって実施されるプロセスを制御するように動作可能であるコントローラと、
（ｂ）前記システムの制御のためのプログラム命令を含む、非一時的なコンピュータ機械読み取り可能媒体と、
を備える半導体基板処理装置。
［適用例２９］適用例２７に記載の半導体基板処理装置であって、更に、
中央ガス注入ゾーンと、中間ガス注入ゾーンと、縁ガス注入ゾーンとを備える半導体基板処理装置。
［適用例３０］適用例２７に記載の半導体基板処理装置において半導体基板を処理する方法であって、
前記複数のプロセスガス源から前記ガス分離器に１つ以上のガスを供給することと、
前記複数のガスゾーン供給口に供給されるガスの比率を、前記ガス分離器のバルブの組み合わせを開く及び／又は閉じることによって制御することと、
前記複数のガスゾーン供給口を通して前記シャワーヘッド電極アセンブリのそれぞれのガス注入ゾーンにガスを供給することと、
前記シャワーヘッドアセンブリの前記それぞれのガス注入ゾーンを通して半導体基板の表面の上にガスを供給することによって、前記半導体基板を処理することであって、前記それぞれのガス注入ゾーンは、前記半導体基板の表面にわたるゾーンに対応し、それぞれの各ガス注入ゾーンに供給されるガスの比率は、所望の均一性内で前記半導体基板を処理するように操作可能である、処理することと、
を備える方法。
［適用例３１］適用例３０に記載の、半導体基板を処理する方法であって、
前記ガス分離器が前記ガスに１つ以上の調整ガスを加えることによって、前記ガスの組成を制御する方法。
【図１】
0006789932.tif 000002
【図２】
0006789932.tif 000003
【図３】
0006789932.tif 000004
【図４】
0006789932.tif 000005
【図５】
0006789932.tif 000006